(57)【要約】【課題】電子トランスとの誤接続を抑制できる照明装置を提供する。【解決手段】実施形態によれば、発光部と、口金と、を備えた照明装置が提供される。前記照明装置は、第１、第２の被嵌合部を有するソケットに取り付けられる。前記発光部は、第１端子と、第２端子と、前記第１端子と前記第２端子との間に電気的に接続された発光素子と、を有する。前記発光素子は、前記第１端子と前記第２端子との間の電圧が所定値以上のときに点灯する。前記口金は、第１、第２の嵌合部を有し、前記第１、第２の嵌合部を前記ソケットの前記第１、第２の被嵌合部に嵌合させることで、外部から入力された電圧を前記第１端子と前記第２端子との間に印加する。前記所定値は、１８．７Ｖ以上１２０Ｖ以下である。【選択図】図１
2014216152.tif 000002
【特許請求の範囲】
【請求項１】
第１、第２の被嵌合部を有するソケットに取り付けられる照明装置であって、
第１端子と、第２端子と、前記第１端子と前記第２端子との間に電気的に接続された発光素子と、を有し、前記第１端子と前記第２端子との間の電圧が所定値以上のときに前記発光素子が点灯する発光部と、
第１、第２の嵌合部を有し、前記第１、第２の嵌合部を前記ソケットの前記第１、第２の被嵌合部に嵌合させることで、外部から入力された電圧を前記第１端子と前記第２端子との間に印加する口金と、
を備え、
前記所定値が、１８．７Ｖ以上１２０Ｖ以下である照明装置。
【請求項２】
前記照明装置は、電力変換回路を具備しない請求項１記載の照明装置。
【請求項３】
前記口金は、前記ソケットに嵌合することにより、電子トランスを備えず、直流電圧を出力する制御装置に電気的に接続される請求項１または２に記載の照明装置。
【請求項４】
前記第１、第２の嵌合部は、前記ソケットの前記第１、第２の被嵌合部に対して可逆接続可能であって、
前記口金と前記発光部との間に電気的に接続された整流器をさらに備え、
前記発光素子は、前記第１端子から前記第２端子に向かう一方の方向に電流が流れた際に点灯し、
前記整流器は、前記発光部に流れる電流を前記一方の方向に整流する請求項１〜３のいずれか１つに記載の照明装置。
【請求項５】
前記整流器は、４つのショットキーバリアダイオードを含むブリッジ回路である請求項４記載の照明装置。
【請求項６】
前記発光素子が設けられた第１基板と、
前記整流器が設けられた第２基板と、
をさらに備えた請求項４または５に記載の照明装置。
【請求項７】
前記発光素子と前記整流器とが設けられた表面を有する基板と、
前記発光素子と対向する一端を有するレンズと、
をさらに備え、
前記整流器は、前記表面に対して垂直な方向において前記一端と重ならない位置に配置される請求項４または５に記載の照明装置。
【発明の詳細な説明】
【技術分野】
【０００１】
本発明の実施形態は、照明装置に関する。
【背景技術】
【０００２】
照明装置の１つとして、約１２Ｖの電圧で点灯する低電圧ハロゲンランプがある。低電圧ハロゲンランプは、電子トランスと呼ばれる制御装置に接続される。電子トランスは、ＡＣ１００Ｖの商用電源をＡＣ１２Ｖに変換して低電圧ハロゲンランプに供給する。
【０００３】
照明装置では、消費電力の低減を目的として、低電圧ハロゲンランプをＬＥＤなどの発光素子を用いたランプに置き換える動きがある。ランプの置き換えにおいては、従来の低電圧ハロゲンランプ用に設計された電子トランスを備える制御装置も、発光素子に対応した装置に置き換える必要がある。その新たな制御装置は、電子トランスを備えない制御装置となる。しかしながら、制御装置の変更を忘れ、または従来の制御装置に誤って、発光素子を用いたランプを接続してしまう場合がある。この場合、電子トランスの動作が不安定になり、例えば、チラツキや異音が発生する。このため、発光素子を用いた照明装置においては、電子トランスとの誤接続を抑制することが望まれる。
【先行技術文献】
【特許文献】
【０００４】
【特許文献１】国際公開第２０１１／０３３４１５号
【発明の概要】
【発明が解決しようとする課題】
【０００５】
本発明の実施形態は、電子トランスとの誤接続を抑制できる照明装置を提供する。
【課題を解決するための手段】
【０００６】
本発明の実施形態によれば、発光部と、口金と、を備えた照明装置が提供される。前記照明装置は、第１、第２の被嵌合部を有するソケットに取り付けられる。前記発光部は、第１端子と、第２端子と、前記第１端子と前記第２端子との間に電気的に接続された発光素子と、を有する。前記発光素子は、前記第１端子と前記第２端子との間の電圧が所定値以上のときに点灯する。前記口金は、第１、第２の嵌合部を有し、前記第１、第２の嵌合部を前記ソケットの前記第１、第２の被嵌合部に嵌合させることで、外部から入力された電圧を前記第１端子と前記第２端子との間に印加する。前記所定値は、１８．７Ｖ以上１２０Ｖ以下である。
【発明の効果】
【０００７】
電子トランスとの誤接続を抑制できる照明装置が提供される。
【図面の簡単な説明】
【０００８】
【図１】第１の実施形態に係る照明装置を模式的に表すブロック図である。
【図２】図２（ａ）〜図２（ｃ）は、第１の実施形態に係る照明装置を表す模式図である。
【図３】第２の実施形態に係る照明装置を模式的に表すブロック図である。
【図４】図４（ａ）及び図４（ｂ）は、第２の実施形態に係る別の照明装置を表す模式図である。
【図５】図５（ａ）及び図５（ｂ）は、第３の実施形態に係る照明装置を模式的に表すブロック図である。
【図６】図６（ａ）及び図６（ｂ）は、第４の実施形態に係る照明装置を表す模式図である。
【発明を実施するための形態】
【０００９】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１０】
（第１の実施形態）
図１は、第１の実施形態に係る照明装置を模式的に表すブロック図である。  
図１に表したように、照明装置１０は、発光部１２と、口金１４と、を備える。発光部１２は、第１端子１２ａと、第２端子１２ｂと、発光素子１６と、を有する。発光素子１６は、第１端子１２ａと第２端子１２ｂとの間に電気的に接続されている。
【００１１】
発光素子１６には、発光ダイオード（Light Emitting Diode：ＬＥＤ）が用いられている。すなわち、この例において、照明装置１０は、ＬＥＤランプである。発光素子１６は、ＬＥＤに限ることなく、例えば、有機発光ダイオード（Organic Light Emitting Diode：ＯＬＥＤ）、レーザダイオード（Laser Diode）などでもよい。
【００１２】
発光部１２には、例えば、複数の発光素子１６が設けられる。この例では、８つの発光素子１６が設けられている。この例では、４つの発光素子１６が直列に接続されている。そして、直列に接続された４つの発光素子１６同士が並列に接続されている。各発光素子１６の接続は、任意でよい。例えば、各発光素子１６のそれぞれを直列に接続してもよいし、各発光素子１６のそれぞれを並列に接続してもよい。また、各発光素子１６の数は、任意でよい。発光素子１６は、例えば、１つでもよい。
【００１３】
例えば、直列に接続された４つの発光素子１６のうちの最初の発光素子１６のアノードが、第１端子１２ａに電気的に接続され、最後の発光素子１６のカソードが、第２端子１２ｂに電気的に接続される。これにより、第１端子１２ａから第２端子１２ｂに向かう一方の方向に電流が流れた際に、各発光素子１６が点灯する。なお、第１端子１２ａ及び第２端子１２ｂは、直列または並列に接続された各発光素子１６に電流を流すことができる任意の電気的な接続点でよい。例えば、直列に接続された４つの発光素子１６のうちの最初の発光素子１６のアノードを第１端子１２ａとし、最後の発光素子１６のカソードを第２端子１２ｂとしてもよい。
【００１４】
照明装置１０は、基板２１をさらに備えている。各発光素子１６は、基板２１に設けられる。基板２１は、図示を省略した配線パターンを有している。各発光素子１６は、配線パターンと接触するように配置されることで、基板２１上に実装されている。
【００１５】
口金１４は、発光部１２と電気的に接続されている。口金１４には、一対のピン１４ａ、１４ｂ（第１、第２の嵌合部）が設けられている。一対のピン１４ａ、１４ｂの長さ、直径等のサイズは、実質的に同じである。例えば、ピン１４ａが第１端子１２ａと電気的に接続され、ピン１４ｂが第２端子１２ｂと電気的に接続される。
【００１６】
口金１４は、ソケット４に着脱可能に保持される。ソケット４は、一対の穴４ａ、４ｂ（第１、第２の被嵌合部）を備えており、その穴４ａ、４ｂに一対のピン１４ａ、１４ｂを差し込むことで、後述する制御装置６と照明装置１０とが電気的に接続される。穴４ａ、４ｂの深さ、直径等のサイズは、実質的に同じである。従って、ピン１４ａ、１４ｂは、穴４ａ、４ｂに対して可逆的に接続可能である。すなわち、ピン１４ａは、穴４ａ、４ｂの一方に接続可能であり、ピン１４ｂは、ピン１４ａが接続された状態において、穴４ａ、４ｂの他方に接続可能である。このように、照明装置１０は、口金１４によってソケット４に機械的に保持されるとともに、口金１４によってソケット４と電気的に接続される。口金１４は、ソケット４を介して外部から入力された電圧を第１端子１２ａと第２端子１２ｂとの間に印加する。なお、第１、第２の嵌合部や第１、第２の被嵌合部は、上述の例に限らない。特に、第１、第２の被嵌合部に対して、第１、第２の嵌合部を可逆的に接続することが可能な形状であるのが最適である。例えば、第１、第２の被嵌合部は、凹部でもよい。
【００１７】
ソケット４は、制御装置６に電気的に接続される。すなわち、照明装置１０は、ソケット４を介して制御装置６と電気的に接続される。制御装置６は、例えば、交流電圧を各発光素子１６に対応した直流電圧に変換して照明装置１０に供給する。制御装置６は、例えば、商用電源の１００Ｖの交流電圧を所定の直流電圧に変換して照明装置１０に供給する。なお、この制御装置６は、本実施形態のような照明装置に適するように設計されたものであり、電子トランスは備えていない。このように、照明装置１０は、口金１４をソケット４に嵌合させることで、電子トランスを備えず、直流電圧を出力する制御装置６に、電気的に接続される光源として主として設計されたものである。制御装置６は、例えば、ピン１４ｂを共通電位（例えば接地電位）に設定し、ピン１４ａを共通電位よりも高い電位に設定する。これにより、各発光素子１６に順方向電圧が印加され、各発光素子１６が点灯する。
【００１８】
図２（ａ）〜図２（ｃ）は、第１の実施形態に係る照明装置を表す模式図である。  
図２（ａ）は、照明装置１０を模式的に表す斜視図である。図２（ｂ）は、照明装置１０を模式的に表す側面図である。図２（ｃ）は、照明装置１０の一部を拡大して表す模式的断面図である。  
図２（ａ）〜図２（ｃ）に表したように、照明装置１０は、ケース１８を備えている。図１（ｃ）は、ケース１８の断面を模式的に表している。ケース１８は、例えば、お椀形である。ケース１８は、例えば、回転放物面状の内面１８ａと、開口１８ｂと、を有する。開口１８ｂは、換言すれば、内面１８ａの開放端である。口金１４は、例えば、ケース１８の開口１８ｂと反対側の外面に設けられる。
【００１９】
基板２１は、ケース１８の内部に設けられる。基板２１は、例えば、円板状である。基板２１は、表面２１ａを有する。基板２１は、例えば、表面２１ａを開口１８ｂ側に向けてケース１８の内部に取り付けられる。各発光素子１６は、表面２１ａの上に設けられる。各発光素子１６は、例えば、表面２１ａ上に環状に並べて配置される。各発光素子１６の配置は、任意でよい。
【００２０】
ケース１８には、カバー２４と、レンズ２５と、がさらに設けられている。カバー２４は、ケース１８の開口１８ｂを塞ぐ。カバー２４は、例えば、板状である。この例では、カバー２４が、円板状である。カバー２４は、各発光素子１６から放出される光（以下、発光光と称す）に対して光透過性を有する。カバー２４は、例えば、透明である。カバー２４には、例えば、プラスチックやガラスなどが用いられる。
【００２１】
レンズ２５は、各発光素子１６のそれぞれに対応して複数設けられる。すなわち、この例では、８個のレンズ２５が設けられる。各レンズ２５は、各発光素子１６の発光光に対して光透過性を有する。各レンズ２５は、例えば、透明である。各レンズ２５には、例えば、プラスチックやガラスなどが用いられる。各レンズ２５は、例えば、基板２１とカバー２４との間に設けられる。各レンズ２５は、例えば、カバー２４と一体に形成してもよい。
【００２２】
各レンズ２５は、発光素子１６と対向する第１端部２５ａと、第１端部２５ａと反対側の第２端部２５ｂと、を有する。各レンズ２５のそれぞれは、各発光素子１６のそれぞれと対向して配置される。レンズ２５の第１端部２５ａには、発光素子１６からの発光光が入射する。レンズ２５は、例えば、第１端部２５ａから入射した発光光を、第２端部２５ｂから出射させることにより、発光光の配光角を制御する。レンズ２５は、例えば、発光光を集光する。レンズ２５は、例えば、発光光の配光角を所定値以下にする。レンズ２５は、例えば、発光光を発散させるレンズでもよい。
【００２３】
各レンズ２５の第１端部２５ａには、発光素子１６を覆う凹部２５ｃが設けられている。これにより、例えば、レンズ２５への発光光の入射効率を高めることができる。第１端部２５ａは、より詳しくは、凹部２５ｃの内底面において発光素子１６と対向する。なお、カバー２４及び各レンズ２５は、必要に応じて設けられ、省略可能である。
【００２４】
ケース１８は、例えば、ＭＲ１６型である。口金１４は、例えば、ＧＵ５．３型である。すなわち、照明装置１０は、いわゆる低電圧ハロゲンランプ型のＬＥＤランプである。ケース１８は、例えば、ＡＲ１１１型でもよい。口金１４は、例えば、Ｇ５３型でもよい。ケース１８の形状及び口金１４の形状は、例えば、低電圧ハロゲンランプ型の規格に準拠した任意の形状でよい。
【００２５】
各発光素子１６は、第１端子１２ａと第２端子１２ｂとの間に所定値以上の電圧を印加したときに点灯する。具体的には、ＬＥＤである各発光素子１６の順方向電圧以上の電圧を第１端子１２ａと第２端子１２ｂとの間に印加することにより、各発光素子１６が点灯する。照明装置１０では、所定値が、１８．７Ｖ以上１２０Ｖ以下である。従って、制御装置６は、例えば、１８．７Ｖ以上１２０Ｖ以下の直流電圧を照明装置１０に供給する。この例では、４つの発光素子１６が直列に接続されている。この場合には、例えば、順方向電圧が４．６７５Ｖ以上３０Ｖ以下のＬＥＤを発光素子１６として用いる。これにより、上記の所定値を満足することができる。
【００２６】
このように、照明装置１０においては、例えば、発光素子１６の順方向電圧や、複数の発光素子１６の直列の接続数が調整される。これにより、発光素子１６の点灯を開始する電圧を、１８．７Ｖ以上１２０Ｖ以下に設定することができる。例えば、発光素子１６に対して並列となるように第１端子１２ａと第２端子１２ｂとの間に抵抗を接続し、この抵抗との分圧比によって、上記の所定値を満足するようにしてもよい。
【００２７】
照明の分野では、低電圧ハロゲンランプなどを、ＬＥＤなどの発光素子を用いた照明装置に置き換える動きがある。低電圧ハロゲンランプを照明装置に置き換える場合、低電圧ハロゲンランプ用の電子トランスも照明装置用の制御装置６に置き換える必要がある。この置き換えには、ＡＣ１００Ｖ系の電源線の差し替えを要するため、電気工事士などの資格を有していないユーザでは、置き換えを行うことができない。このため、無資格のユーザが置き換えを要望する場合には、資格を有する業者に置き換えを依頼する必要がある。
【００２８】
業者に置き換えを依頼した場合に、業者が誤って制御装置６の交換を忘れ、本実施形態のような照明装置を電子トランスに接続してしまう場合がある。また、ユーザが電子トランスを備える従来の制御装置に、誤って照明装置を接続してしまう場合がある。電子トランスは、約１２Ｖの交流電圧を出力する。このため、各発光素子の点灯を開始する電圧が、１２Ｖ程度であると、照明装置を電子トランスに接続した場合でも、照明装置が点灯してしまう。
【００２９】
電子トランスには、ある程度の電流を流さないと動作が安定しないという特性がある。ＬＥＤなどの発光素子を用いた照明装置は、低電圧ハロゲンランプに比べて消費電力が小さい。また、本実施形態のような照明装置は、電力変換回路等の回路を具備していない。このため、照明装置では、必要な電流を流すことができず、電子トランスの動作が不安定になってしまう場合がある。例えば、電子トランスの出力が間欠的になり、チラツキや異音が発生する。このため、発光素子を用いた照明装置においては、電子トランスとの誤接続を抑制することが望まれている。
【００３０】
これに対して、本実施形態に係る照明装置１０では、各発光素子１６の点灯を開始する電圧を、１８．７Ｖ以上にしている。電子トランスの出力電圧は、１２Ｖｒｍｓ±１０％程度である。すなわち、電子トランスの出力のピーク電圧は、約１８．７Ｖである。従って、本実施形態に係る照明装置１０では、電子トランスを備える従来の制御装置に接続された場合には、各発光素子１６が点灯しない。これにより、ユーザ等は誤接続に気付き、不安定な点灯が継続されることを抑制することができる。また、本実施形態に係る照明装置１０では、各発光素子１６の点灯を開始する電圧が、１２０Ｖ以下である。これにより、例えば、ＩＥＣ６０５９８−１の規格を満足することができる。
【００３１】
（第２の実施形態）
図３は、第２の実施形態に係る照明装置を模式的に表すブロック図である。  
図３に表したように、照明装置１１０は、整流器３０をさらに備える。整流器３０は、口金１４と発光部１２との間に電気的に接続されている。整流器３０は、発光部１２に流れる電流を第１端子１２ａから第２端子１２ｂに向かう一方の方向に整流する。すなわち、整流器３０は、発光部１２に流れる電流を各発光素子１６の順方向に整流する。
【００３２】
整流器３０は、例えば、４つのダイオード３２を含むブリッジ回路である。整流器３０は、例えば、基板２１に設けられる。整流器３０は、例えば、４つのダイオード３２をワンパッケージに納めたものを用いてもよいし、４つのダイオード３２を基板２１に実装して形成してもよい。なお、整流器３０は、４つのダイオード３２を用いたブリッジ回路に限ることなく、発光部１２に流れる電流を整流できる任意の回路でよい。
【００３３】
整流器３０を基板２１に設ける場合、基板２１を両面実装基板とし、基板２１の裏面２１ｂ（図２（ｃ）参照）に整流器３０を設けることが好ましい。裏面２１ｂは、表面２１ａの反対側の面である。これにより、整流器３０が外側から見えてしまうことを抑制することができる。例えば、照明装置１１０の意匠性を高めることができる。
【００３４】
口金１４の各ピン１４ａ、１４ｂの形状は、実質的に同じである。このため、照明装置１０、１１０では、口金１４をソケット４に挿し込む際に、各ピン１４ａ、１４ｂの向きを間違えてしまう可能性がある。上記第１の実施形態の照明装置１０において、各ピン１４ａ、１４ｂの向きを間違えると、各発光素子１６に逆方向電圧が印加される。このため、各発光素子１６が点灯しない。また、各発光素子１６の故障の要因にもなってしまう。
【００３５】
これに対して、本実施形態に係る照明装置１１０では、各ピン１４ａ、１４ｂの向きを間違えて口金１４をソケット４に挿し込んでしまった場合でも、整流器３０によって、第１端子１２ａから第２端子１２ｂに向かう方向に電流を流すことができる。すなわち、各ピン１４ａ、１４ｂの向きを間違えた場合でも、各発光素子１６を適切に点灯させることができる。各発光素子１６の故障を抑制することもできる。
【００３６】
図４（ａ）及び図４（ｂ）は、第２の実施形態に係る別の照明装置を表す模式図である。  
図４（ａ）は、照明装置１１２を模式的に表すブロック図であり、図４（ｂ）は、照明装置１１２の一部を模式的に表す断面図である。  
図４（ａ）及び図４（ｂ）に表したように、照明装置１１２は、各発光素子１６が設けられた基板２１（第１基板）と、整流器３０が設けられた基板２２（第２基板）と、を備える。このように、整流器３０は、各発光素子１６が設けられた基板２１と別の基板２２に設けてもよい。
【００３７】
図４（ｂ）に表したように、基板２２は、例えば、基板２１の裏面２１ｂと対向して配置される。これにより、整流器３０及び基板２２が外側から見えてしまうことを抑制することができる。例えば、照明装置１１２の意匠性を高めることができる。なお、上記各実施形態では、各発光素子１６を１つの基板２１に設けているが、例えば、各発光素子１６のそれぞれを別の基板に設けてもよい。
【００３８】
（第３の実施形態）
図５（ａ）及び図５（ｂ）は、第３の実施形態に係る照明装置を模式的に表すブロック図である。  
図５（ａ）に表したように、照明装置１２０では、整流器３０が、４つのショットキーバリアダイオード３４を含むブリッジ回路である。
【００３９】
例えば、制御装置６から２０ｋＨｚ〜１００ｋＨｚ程度の高周波の交流電圧または脈流電圧を上記第２の実施形態の照明装置１１０に供給する。この場合、ダイオード３２の動作が間に合わなくなり、発光部１２に流れる電流を整流できなくなってしまう可能性がある。
【００４０】
ショットキーバリアダイオード３４は、例えば、ＰＮ接合ダイオードなどに比べて順方向の電圧降下が低く、スイッチング速度が速い。このため、本実施形態に係る照明装置１２０では、高周波の交流電圧または脈流電圧が制御装置６から供給された場合においても、各発光素子１６を適切に発光させることができる。このように、制御装置６は、発光素子１６を含む照明装置に対して、交流電圧または脈流電圧を照明装置に供給するものでもよい。
【００４１】
図５（ａ）に表した照明装置１２０では、整流器３０が、各発光素子１６と同じ基板２１に設けられている。図５（ｂ）に表した照明装置１２２では、整流器３０が、各発光素子１６の設けられた基板２１と異なる基板２２に設けられている。このように、ショットキーバリアダイオード３４を用いた場合においても、整流器３０は、上記の第２の実施形態と同様に、基板２１に設けてもよいし、基板２２に設けてもよい。
【００４２】
（第４の実施形態）
図６（ａ）及び図６（ｂ）は、第４の実施形態に係る照明装置を表す模式図である。  
図６（ａ）は、照明装置１３０の一部を模式的に表す断面図であり、図６（ｂ）は、照明装置１３０の基板２１を模式的に表す平面図である。  
図６（ａ）及び図６（ｂ）に表したように、照明装置１３０では、整流器３０が、各発光素子１６と同じ基板２１に設けられている。整流器３０は、基板２１の表面２１ａの上に設けられている。すなわち、この例では、基板２１が、各発光素子１６と整流器３０とが設けられた表面２１ａを有している。この例では、整流器３０を形成する４つのショットキーバリアダイオード３４のそれぞれが、表面２１ａの上に設けられている。
【００４３】
各ショットキーバリアダイオード３４は、表面２１ａに対して垂直な方向において、各レンズ２５の第１端部２５ａと重ならない位置に配置される。換言すれば、各ショットキーバリアダイオード３４は、表面２１ａに対して直交する方向に見たときに、各レンズ２５の第１端部２５ａと重ならない位置に配置される。すなわち、整流器３０は、表面２１ａに対して垂直な方向において、レンズ２５の発光素子１６と対向する一端（第１端部２５ａ）と重ならない位置に配置される。これにより、消灯状態などにおいて、整流器３０が外側から見えてしまうことを抑制することができる。例えば、各ショットキーバリアダイオード３４を見え難くすることができる。これにより、例えば、照明装置１３０の意匠性を高めることができる。
【００４４】
各レンズ２５は、光軸ＯＡを有する。光軸ＯＡは、例えば、第１端部２５ａから第２端部２５ｂに向かう方向である。この例において、光軸ＯＡは、表面２１ａに対して垂直な方向と実質的に同じである。各レンズ２５において、第２端部２５ｂの幅は、第１端部２５ａの幅よりも広い。ここで、「幅」とは、光軸ＯＡに対して垂直な方向の長さである。換言すれば、表面２１ａに対して平行な方向の長さである。レンズ２５の幅は、例えば、第１端部２５ａから第２端部２５ｂに向かう方向において増加する。すなわち、レンズ２５の幅は、発光光の照射される方向に向かって増加する。
【００４５】
ショットキーバリアダイオード３４は、表面２１ａに対して垂直な方向において、レンズ２５の第１端部２５ａと重ならず、かつ、少なくとも一部が第２端部２５ｂと重なる位置に配置される。すなわち、表面２１ａに対して垂直な方向において、ショットキーバリアダイオード３４の少なくとも一部が、レンズ２５に覆われる。これにより、各ショットキーバリアダイオード３４を外側からより見え難くすることができる。
【００４６】
照明装置１３０のように整流器３０を配置した場合には、例えば、基板２１、２２を設ける場合に比べて、組み立てを容易にすることができる。基板２２を別途設ける場合に比べて、例えば、コスト増を抑えることができる。照明装置１３０では、例えば、コスト増を抑えつつ、意匠性を高めることができる。
【００４７】
照明装置１３０では、ショットキーバリアダイオード３４を表面２１ａに配置した例を示しているが、例えば、ダイオード３２を上記のように配置してもよい。また、ブリッジ回路をワンパッケージに納めた素子を上記のように配置してもよい。
【００４８】
上記各実施形態では、ＬＥＤを発光素子１６として用いた例を示している。発光素子１６は、ＬＥＤに限ることなく、所定値以上の電圧を印加することによって点灯する任意の発光素子を用いることができる。例えば、順方向電圧を有する任意の発光素子を用いることができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
４…ソケット、６…制御装置、１０、１１０、１１２、１２０、１２２、１３０…照明装置、１２…発光部、１２ａ…第１端子、１２ｂ…第２端子、１４…口金、１４ａ、１４ｂ…ピン、１６…発光素子、１８…ケース、２１…基板（第１基板）、２２…基板（第２基板）、２４…カバー、２５…レンズ、２５ａ…第１端部、２５ｂ…第２端部、３０…整流器、３２…ダイオード、３４…ショットキーバリアダイオード
【図１】
2014216152.tif 000003
【図２】
2014216152.tif 000004
【図３】
2014216152.tif 000005
【図４】
2014216152.tif 000006
【図５】
2014216152.tif 000007
【図６】
2014216152.tif 000008